(57)【特許請求の範囲】
【請求項１】
寝台から車椅子への移動拠点の左右双方の壁内の柱の両側面それぞれに添える添え柱を柱に横貫通ボルトで固定し、それら添え柱の上端面を天井板より少し高くし、それら左右双方の添え柱4本の上端面それぞれに右長方形角管梁と左長方形角管梁との両端部を載せて横貫通ボルトで柱に固定し、他方でL字の上下を逆にした形状で曲げ加工する逆L形部品の上辺を身体移動拠点上の天井裏内の右長方形角管梁の上辺に載せ、載せた逆L形部品の上辺の端部に固着させる角棒を右長方形角管梁の左角に掛け止めし、その角棒と逆L形部品の側面とが右長方形角管梁を挟む配置にし、その逆L形部品の側辺の中部分を大きく開口削除させて逆L形部品を軽くし、その逆L形部品の側辺の上部に固着させるアングルの一辺は逆L形部品の上辺とは逆方向で同じ高さにし、そして逆L形部品の側辺の下端部は右長方形角管梁の下辺より下の位置で上辺とは逆方向に曲げて水平部分にし、さらに左長方形角管梁への逆L形部品の取り付け方は右長方形角管梁と左右対称に同じ方法で取り付け加工をし、それら逆L形部品を左右対称に掛け止めた右長方形角管梁と左長方形角管梁との間の空間に下から入れるシャフトの上端部を逆L形部品の上辺より上に配置し、そのシャフトの上下で中間部分の外周を内周内に固定する下ベアリングの外輪を外輪枠内に嵌め入れし、その外輪枠を中心穴平角棒の中心上に固着し、その中心穴平角棒の両端部それぞれを前平角棒と後ろ平角棒との中間部分それぞれへ載せ重ねた箇所をボルトで固定し、それら前平角棒と後ろ平角棒との両端部それぞれを左右双方それぞれの逆L形部品の側辺の下部分を曲げた水平部分の前部分と後部分とに載せ重ねた箇所をボルトで固定し、シャフトの外周を内周内に嵌める下パイプの下端で下ベアリングの内輪を上から押えた状態で下パイプをシャフトにボルトで固定し、そこで上外輪枠を上盤板の中心位置に固着し、その上盤板を左右双方の逆L形部品の上辺上に載せ、その上盤板の四隅それぞれに開けた穴に入れるボルトを左右の逆L形部品の側辺に固着させた左右双方のアングルに固定し、そこで上外輪枠内に上ベアリングを嵌め入れし、そこでシャフトの上部の外周に上パイプの内周内を嵌め被せ、その上パイプの上端部に固着させた短尺輪部分で上ベアリングの内輪を上から押えた状態で上パイプをシャフトにボルトで固定し、その上盤板上の中央部分に外輪溝付きリングを回転自在に固定したアングル枠をボルトで固定し、そして柱の両側の添え柱と添え柱との上端面に載せて柱に固定する右長方形角管梁の一端部上と左長方形角管梁の一端部上との上に前部分を載せる動力盤の後端部は間柱に添える添え間柱の上端面上に載せてボルトで固定し、その動力盤上に重ね板を固定するそれらの重なりにあける紐穴の下は空間であり、その紐穴を囲うように重ね板上に縦に固着させる2枚の枠板内の連結軸に固定する外輪溝付きリングはブレーキ付きギアモータの回転軸と連結させて重し袋を吊り下げし、その連結軸に固定する外輪溝付きリングの斜め下に位置し枠板内に回転自在に固定する外輪溝付きリングから重し袋を吊り下げる天秤紐は重し袋と被介護者とを天秤状態にし、他方で天井板から少し下に位置するシャフトの下端部の一箇所を月形に削除加工し、その月形部分の反対側のシ���フトの半周部分に長尺の異形平角棒を半巻きにして2枚に分かれた異形平角棒を月形部分方向に伸ばし、その月形部分と異形平角棒の半巻き部分とを溶接して旋回機とし、その旋回機の月形の旋回支点部分と旋回機の先端部分とアングル枠内と枠板内とに回転自在に固定する総計4個の外輪溝付きリングを介して被介護者は介護補助力の重さの重し袋と天秤状態になりリモコンを操作する事で旋回機の先端が描く円周下をスリ足で歩く又は立ち座りが自在になり、上記のように電動小旋回身体移動補助装置の各構成部品の取り付け写真と図面とを見て構成部品の番号順に天井裏内の右長方形角管梁と左長方形角管梁とに各種の工具を用いて取り付けしながら組み立てできる方法。
【発明の詳細な説明】
【技術分野】
【０００１】
電動小旋回身体移動補助装置を構成する各構成部品を長方形角管梁へ電動工具で組み立てながら取り付ける方法。
【背景技術】
【０００２】
電動小旋回身体移動補助装置を長方形角管梁の任意の位置に溶接で取り付ける場合、長方形角管梁の長さが長すぎる為、溶接機内に設置できずに溶接ができない場合がある。
【先行技術文献】
【特許文献】
【０００３】
【特許文献１】特願2019−191849
【特許文献２】実願2020−3305
【特許文献３】実願2020−177
【特許文献４】特願2019−76166
【特許文献５】実願2019−1666
【発明の概要】
【発明が解決しようとする課題】
【０００４】
天井裏内に位置する長方形角管梁に電動小旋回身体移動補助装置を工場の溶接で取り付ける場合、長方形角管梁の溶着箇所が溶接機内に設置できない場合がある為、溶接による取り付けが工場でできない事が多く溶接価格も高い、そこで電動小旋回身体移動補助装置を構成する各構成部品を各種の工具で長方形角管梁へ取り付けながら組み立てできる方法にした。
【課題を解決するための手段】
【０００５】
上記目的を達成するために電動小旋回身体移動補助装置の各構成部品の取り付け写真と図面とを見て構成部品の番号順に天井裏内の長方形角管梁へ各種の工具で取り付けしながら組み立てできる方法を説明する、被介護者が使用する寝台から車椅子への移動拠点の左右双方の壁内それぞれの柱の両側面それぞれに添えて柱の側面に固定する各添え柱の上端面を天井板より少し高い位置にし、それら4本の各添え柱の上端面に右長方形角管梁と左長方形角管梁との両端部それぞれを載せて柱に横貫通ボルトで固定した。
【０００６】
L字の上下を逆にした形状で曲げ加工する逆L形部品の上辺を身体移動拠点上の天井裏内の右長方形角管梁の上面に載せ、載せた逆L形部品の上辺の端部に固着させる角棒を右長方形角管の上辺の左角に掛け止めて角棒と逆L形部品の側辺とが右長方形角管梁を挟む配置にし、さらに逆L形部品の側辺の中部分を大きく開口削除させて逆L形部品を軽くし、その逆L形部品の上部に固着させるアングルの一辺は逆L形部品の上辺と同じ高さで上辺とは逆方向にし、その逆L形部品の側辺の下端部を右長方形角管梁の下面より下の位置で上辺とは逆方向に曲げて水平にし、さらに左長方形角管梁にも逆L形部品を左右対称になるように右長方形角管梁と同様の取り付け加工をした。
【０００７】
逆L形部品を左右対称に掛け止めた右長方形角管梁と左長方形角管梁との間の空間に下から入れるシャフトの上端部を逆L形部品の上辺より上に配置し、そのシャフトの長さで中間部分の外周を内輪内に固定する下ベアリングの外輪を外輪枠内に嵌め入れし、その外輪枠を中心穴平角棒の中心上に固着し、その中心穴平角棒の両端部それぞれを前平角棒と後ろ平角棒とのそれぞれの中間部分に載せ重ねた箇所をボルトで固定し、それら前平角棒と後ろ平角棒との両端部それぞれを左右双方の逆L形部品の下側を曲げた水平部分の前部分と後部分とのそれぞれに載せ重ねた箇所をボルトで固定した。
【０００８】
シャフトの外周に内周を嵌め被せる下パイプの下端を下ベアリングの内輪に上から押し当てた状態で下パイプをシャフトにボルトで固定し、そして左右の逆L形部品の上辺上に載せる上盤板の四隅それぞれの穴に入れるボルトを逆L形部品の側辺の上部に固着させたアングルに固定し、その上盤板の中心位置に固着させた外輪枠内に上ベアリングを嵌め入れし、そこでシャフトの上部の外周に上方から上パイプの内周を嵌め被せ、その上パイプの上端部に固着させた押え短尺輪で上から上ベアリングの内輪を押え、押えた状態で上パイプをシャフトにボルトで固定し、そして上盤板の中央部分に外輪溝付きリングを回転自在に固定したアングル枠を上盤板上にボルトで固定した。
【０００９】
左右の柱で一方の柱の両側面に添わせる添え柱の上端面上に載せる右長方形角管梁と左長方形角管梁との一端部の上辺上に前端部を載せる動力盤の後端部を間柱に添え当てる添え間柱の上端面上に載せ、載せた箇所にボルトで固定し、その右長方形角管梁と左長方形角管梁との間の空間上に位置する動力盤上に重ね板をボルト固定し、重なる動力盤と重ね板とに紐穴を開け、その重ね板上に縦に固着する2枚の枠板内に紐穴は位置し、その枠板内に回転自在に固定する連結軸に付けた外輪溝付きリングはブレーキ付きギアモータの回転軸と連結させて動力紐で重し袋を吊り下げし、その連結軸に固定する外輪溝付きリングの斜め下に位置し枠板内に固定する回転自在の外輪溝付きリングから重し袋を吊り下げる天秤紐は重し袋と被介護者とを天秤状態にした。
【００１０】
天井板から少し下に位置するシャフトの下端部の一箇所を縦に月形に削除加工し、その月形に加工させた反対側の半周部分に長尺で異形の平板棒を半巻きにして2枚に分けた異形平角棒を月形の反対方向に伸ばし、その月形に加工させたシャフトの半周部分と異形平板棒の半巻き部分とを固着させて旋回機とした。
【００１１】
旋回機の月形の旋回支点部分と先端部分とアングル枠内と枠板内との4箇所の外輪溝付きリングを介して被介護者と重し袋とは天秤紐で連結し、そこで被介護者は手首バンドに付けたリモコンを操作し旋回機の先端部分の外輪溝付きリングから掛け下がり天井に位置する吊り下げホルダーを寝台に座る被介護者の膝上におろし、そこで被介護者は上着内に縫い留めた装着帯を吊り下げホルダーに掛け止めし、そこでリモコンを操作しブレーキ付きギアモータに連結させた外輪溝付きリングから動力紐で吊り下がる重し袋を巻き下げる事で下がる重し袋を吊り下げる天秤紐とつながる被介護者は下がる重し袋の重さの介護補助力で立ち座りが自在になり旋回機の先端部が描く円周の下をスリ足で歩く又は座り、上記のように電動小旋回身体移動補助装置の各構成部品の取り付け写真と図面とを見て構成部品の番号順に天井裏内の右長方形角管梁と左長方形角管梁とに各種の工具を用いて取り付けしながら組立てできる方法。
【発明の効果】
【００１２】
各構成部品の一つ一つを位置決め治具や金型を用いて生産する事で安価にし、その構成部品のまま販売しても構成部品一つ一つの取り付け写真と図面があれば各国の誰でもが装置を天井裏内で組み立てできる。
【図面の簡単な説明】
【００１３】
【図１】電動小旋回移動補助装置の斜視図
【図２】シャフトまわりの横断面図
【図３】シャフトまわりの縦断面図
【図４】動力盤上の測面図
【図５】動力盤上の平面図
【図６】長方形角管梁に逆L形部品を掛け止めた状態の斜視図
【図７】長方形角管梁に逆L形部品を掛け止めて左右の長方形角管梁の間にシャフトを入れた状態の斜視図
【図８】下ベアリングまわりの斜視図
【図９】上盤板まわりの斜視図
【図１０】被介護者の頭上の吊り下げホルダーが天井下に位置する場合の正面図
【図１１】被介護者の上着内に付けた装着帯を吊り下げホルダーに付けた場合の正面図
【発明を実施するための形態】
【００１４】
本発明の一実施形態に係る電動小旋回身体移動補助装置の構成部品の取り付け写真と図面とを見て構成部品の番号順に天井裏内の長方形角管梁に各種の工具で取り付けしながら組み立てできる方法を説明する、被介護者が使用する寝台から車椅子CSZへの移動拠点の左右双方の壁内それぞれの柱Yの両側面それぞれに添えて横貫通ボルトで柱Yに固定する各添え柱YSの上端面を天井板TEより少し上にし、それら4本の添え柱YSの上端面に載せる右長方形角管梁TMと左長方形角管梁THとの両端部も柱Yに横貫通ボルトで固定した。
【００１５】
L字の上下を逆にした形状に曲げ加工する逆L形部品Lの上辺を寝台から車椅子CSZへの身体移動拠点上の天井裏内の右長方形角管梁TMの上辺上に載せ、載せた逆L形部品Lの上辺の端部に固着させる角棒LKを右長方形角管梁TMの上辺の左角に掛け止めし、掛けた角棒LKと逆L形部品Lの側辺とが右長方形角管梁TMを挟む配置にし、その逆L形部品Lの側辺の中間部分LSを大きく開口削除させて逆L形部品Lを軽くし、その逆L形部品Lの側辺の上部に固着させるアングルLAの一辺を逆L形部品の上辺とは逆方向に向けて同じ高さにし、その逆L形部品Lの側辺の下端部を右長方形角管梁TMの下辺より下の位置で外方向に水平に曲げ、さらに左長方形角管梁THにも逆L形部品Lの取り付けを右長方形角管梁TMと左右対称になるように同様の取り付け加工をした。
【００１６】
逆L形部品Lを左右対称に掛け止めた右長方形角管梁TMと左長方形角管梁THとの間の空間TTKに下から入れるシャフトSの上端部を逆L形部品Lの上辺より上に配置し、シャフトSの上下で中間部分の外周を内輪内に固定する下ベアリングBECの外輪を嵌め入れる外輪枠BEWを中心穴平角棒BHAの中心上に固着し、その中心穴平角棒BHAの両端部それぞれを前平角棒BHMと後ろ平角棒BHUとの中間部分に載せ重ねる箇所をボルトで固定し、それら前平角棒BHMと後ろ平角棒BHUとの両端部それぞれを左右双方の逆L形部品Lの下側を曲げた水平部分LMの前部分と後ろ部分とのそれぞれに載せ重ねた箇所をボルトで固定した。
【００１７】
シャフトSの外周を内周内に嵌め入れる下パイプPCの下端を下ベアリングBECの内輪に上から押し当てた状態で下パイプPCをシャフトSにボルトで固定し、そこで上外輪枠UBAを中心位置に固着させた上盤板UBを左右双方の逆L形部品Lの上辺上に載せ、載せた上盤板UBの四隅それぞれの穴に入れるボルトを逆L形部品Lの側辺に固着させたアングルLAに固定し、そこで上盤板UBの上外輪枠内UBAに上ベアリングBEUの外輪を嵌め入れし、そこでシャフトSの上部の外周に上方から上パイプPUの内周を嵌め被せる事で上パイプPUの上端部に固着させた押え短尺輪PUWで上ベアリングBEUの内輪を上から押え、押えた状態で上パイプPUをシャフトSにボルトで固定し、そして上盤板UB上の中央部分に外輪溝付きリングを回転自在に固定したアングル枠ANWを上盤板UBにボルトで固定した。
【００１８】
左右双方の柱Yで一方の柱Yの両側面それぞれに沿わせる添え柱YSの上端面上に載せる右長方形角管梁TMと左長方形角管梁THとの一端部の上辺上に動力盤DBの前部分を載せてボルト固定し、その動力盤DBの後端部は間柱YMに添え当てる添え間柱YMSの上端面上に載せ載せた上端面にボルトで固定し、それら右長方形角管梁TMと左長方形角管梁THとの間の空間TTK上に位置する動力盤DB上に重ね板DBUをボルトで固定する事で重なる動力盤DBと重ね板DBUとの重なりに紐穴DHAを開け、その重ね板DBU上に2枚の枠板WKを縦に固着する2枚の枠板WKの間に紐穴DHAは位置し、その動力盤DB上に固定するブレーキ付きギアモータMの回転軸MJと連結させる枠板WK内の連結軸SJに固定する外輪溝付きリングから動力紐MHで重し袋を吊り下げし、その外輪溝付きリングの斜め下に位置し枠板WK内で回転自在に固定する外輪溝付きリングから重し袋を掛け下げる天秤紐Hは介護補助力の重さの重し袋と被介護者とを天秤状態にした。
【００１９】
天井板TEから少し下に位置するシャフトSの下端部の一箇所を縦に月形Fに削除加工し、その削除加工させた月形Fの反対側のシャフトSの半周部分FENに長尺で異形の平角棒FHBを半巻きにして2枚に分けて削除加工方向に異形平角棒FHBを伸ばし、そのシャフトSと異形平角棒FHBとが接する半巻き部分FENを固着させて旋回機とし、その旋回機の先端部分と月形Fの旋回支点部分とに外輪溝付きリングを回転自在に固定した。
【００２０】
旋回機の月形Fの旋回支点部分と先端部分とアングル枠ANW内と枠板WK内との4箇所の外輪溝付きリングを介して重し袋と被介護者とは天秤紐Hで連結し、そこで被介護者は手首バンドに付けたリモコンを操作し旋回機の先端部分の外輪溝付きリングから掛け下がり天井近くに位置する吊り下げホルダーTCを寝台に座る被介護者の膝上におろし、そこで被介護者は上着内に縫い留めた装着帯CSを吊り下げホルダーTCに掛け止めし、そこでリモコンを操作し作動させるブレーキ付きギアモータMに連結させた外輪溝付きリングから動力紐MHで吊り下がる重し袋を巻き下げる事で下がる重し袋と4個の外輪溝付きリングを介して天秤紐Hでつながる被介護者は下がる重し袋の重さの介護補助力の力で立ち座りが自在になり旋回機の先端部が描く円周の下をスリ足で歩き又は座れるようになり、上記のように電動小旋回身体移動補助装置の各構成部品の取り付け写真と図面とを見て構成部品の番号順に天井裏内の右長方形角管梁THと左長方形角管梁TMへ各種の工具を用いて取り付けしながら組み立てできる方法。
【符号の説明】
【００２１】
TE    天井板
TES  隙間隠し部材
Y      柱
YS      添え柱
YSW    重し袋を囲う枠板
YSK    重し袋を囲うカーテン
YM    間柱
YMS    添え間柱
TM    右長方形角管梁
TH    左長方形角管梁
L      逆L形部品
LK    逆L形部品の上辺の端に固着させた角棒
LA    逆L形部品の測辺の上部に固着させたアングル
LM    逆L形部品の測辺の下端部を上辺とは逆方向に曲げた水平部分
LS    逆L形部品の測辺の中部分を大きく削除した空間部分
LMT  逆L形部品の下端部を水平に曲げた部分に開けたタップ穴
TTK  右長方形角管梁と左長方形角管梁との間の空間
S      シャフト
BEC  下ベアリング
BEW  下ベアリングの外輪枠
BHA  中心穴平角棒
BHM  前平角棒
BHU  後ろ平角棒
PC    下パイプ
PU    上パイプ
UB    上盤板
UBA  上外輪枠
BEU  上ベアリング
PUW  押え短尺輪
ANW  アングル枠
YM    間柱
YMS  添え間柱
DB    動力盤
DBU  重ね板
DHA  紐穴
M      ブレーキ付きギアモータ
MJ    回転軸
C      カップリング
MH    動力紐
H    天秤紐
WK    枠板
SJ      連結軸
SJA    2枚の枠板の1枚の枠板の上から連結軸を嵌め入れできるようにした加工溝
F      月形の削除加工部分
FEN  月形の反対側の半円周部分
FHB  異形の平角棒
R      シャフトに異形の平角棒の半円周部分を溶接する為の半円周部分の縦の溶接用の溝
TC    吊り下げホルダー
CS    装着帯
【要約】
【課題】長方形角管梁に電動小旋回身体移動補助装置を溶接する場合に長方形角管梁が長い為に溶接機内に設置できない場合がある。
【解決手段】長方形角管梁に電動小旋回身体移動補助装置を溶接での取り付けを中止し、寝台又は便器等から車椅子へ移動する移動箇所の左右双方の壁内に位置する柱の両側の側面それぞれ当て沿わせる添え柱を柱に貫通ボルトで固定し、それら各添え柱の上端面を天井板より少し高くし、それら各添え柱の上端面それぞれに右長方形角管梁と左長方形角管梁との両端部を載せて載せた各端部を柱に貫通ボルトで固定し、それら右と左とで柱を挟むように配置する右長方形角管梁と左長方形角管梁とに電動小旋回身体移動補助装置の各構成部品の取り付け写真と図面とで構成部品の番号順に被介護者の部屋の天井裏内の長方形角管梁へ各種の工具を用いて取り付けしながら組み立てできる製作方法にした。
【選択図】図1【図１】
0006850393.tif 000002
【図２】
0006850393.tif 000003
【図３】
0006850393.tif 000004
【図４】
0006850393.tif 000005
【図５】
0006850393.tif 000006
【図６】
0006850393.tif 000007
【図７】
0006850393.tif 000008
【図８】
0006850393.tif 000009
【図９】
0006850393.tif 000010
【図１０】
0006850393.tif 000011
【図１１】
0006850393.tif 000012